(57)【要約】  【課題】  食器受具本体に枢支される食器立て部の起立状態及び倒れ状態を簡単な構成で維持することができるようにする。  【解決手段】  複数本の第１及び第２の基条２ａ，２ｂが交差して結合された食器受具本体２を、固定軸部７ａと、その一端部に可動軸部８ａを有し、その他端部に対して可動軸部８ａ側を可動とした可撓杆８とを備える構成とし、この食器受具本体２に枢支された食器立て部５を、固定軸部７ａに枢支された第１杆体５１と、該第１杆体５１に連結され、可動軸部８ａに枢支された第２杆体５２とを備え、該第２杆体５２が可動軸部８ａの周りに回動自在に嵌められている被枢支部５２ａ及び可動軸部８ａを支点とする揺動により可動軸部８ａを固定軸部７ａ方向へ押圧する押圧部５５を有する構成とし、押圧部５５が可撓杆８を撓ませることにより食器立て部５の起立状態、及び倒れ状態を維持することができるようにした。【選択図】        図２
2006061314.tif 000002
【特許請求の範囲】
【請求項１】
複数本の基条を有する食器受具本体と、該食器受具本体に揺動自在に枢支された食器立て部とを備える食器受具において、前記食器受具本体は、固定軸部と、該固定軸部と接離する方向へ可動とした可動軸部とを備えており、前記食器立て部は、前記固定軸部に揺動自在に枢支された第１杆体と、該第１杆体に連結され、前記可動軸部に揺動自在に枢支された第２杆体とを備え、該第２杆体は前記可動軸部の周りに回動自在に嵌められている被枢支部及び前記可動軸部を支点とする揺動により前記可動軸部を前記接離する方向の一方へ押圧する押圧部を有することを特徴とする食器受具。
【請求項２】
前記第２杆体の被枢支部及び押圧部は前記第１杆体と平行的に配される直杆部の一端部が前記直杆部に対して傾斜するリング形をなしている請求項１記載の食器受具。
【請求項３】
前記可動軸部は前記直杆部に対して前記固定軸部と反対側に配されている請求項１又は２記載の食器受具。
【請求項４】
内部に水が噴射される洗浄槽と、該洗浄槽に収容される請求項１乃至３のいずれかひとつに記載の食器受具とを備えることを特徴とする食器洗い機。
【発明の詳細な説明】
【技術分野】
【０００１】
本発明は食器受具本体に食器立て部が枢支されている食器受具、及びこれを用いた食器洗い機に関する。
【背景技術】
【０００２】
食器受具は例えば食器洗い機に用いられている。この食器洗い機は、その前面に開口部を有し、内部に水が噴射される洗浄槽と、該洗浄槽に収容され、複数の食器が載せられる食器受具と、前記開口部を閉じる扉とを備えている（例えば、特許文献１）。
【０００３】
食器受具は複数本の第１及び第２の基条が交差して配された食器受具本体と、該食器受具本体に枢支された食器立て部と、該食器立て部を弾圧する線ばねとを備えている。食器立て部は、前記第１の基条の長手方向へ離隔して配される複数本の杆体と、該杆体を連結する連結杆体とを有しており、両側の杆体の一端部にリング形の被枢支部が設けられており、該被枢支部が前記第１の基条に枢支されている。
【特許文献１】特開平７−１６３５０２号公報
【発明の開示】
【発明が解決しようとする課題】
【０００４】
ところが、従来の食器受具にあっては、食器立て部と別個に線ばねを必要とするため、部品点数が多く、構成が複雑であり、組込作業工程が増加することになり、コスト高になるという問題があった。また、食器立て部の杆体は、第１及び第２の基条が交差して配された食器受具本体の第１の基条に枢支されるため、食器受具本体が形成された後で、工具を用いて前記杆体の一端部をリング形に曲げ加工を行う必要があり、組込作業性が悪いし、また、取外し作業が行い難いという問題があった。
【０００５】
本発明は斯かる事情に鑑みてなされたものであり、主たる目的は固定軸部と、該固定軸部と接離する方向へ可動とした可動軸部とを食器受具本体に設け、この食器受具本体に枢支する食器立て部を、固定軸部に揺動自在に枢支する第１杆体と、該第１杆体に連結され、可動軸部に揺動自在に枢支する第２杆体とを備え、該第２杆体が被枢支部及び可動軸部を支点とする揺動により可動軸部を接離する方向の一方へ押圧する押圧部を有する構成とすることにより、食器立て部の起立状態及び倒れ状態を線ばねを用いる場合に比べて簡単な構成で維持することができる食器受具及び食器洗い機を提供することにある。
【０００６】
また、他の目的は第２杆体の被枢支部及び押圧部を、第１杆体と平行的に配される直杆部の一端部が前記直杆部に対して傾斜するリング形をなしている構成とすることにより、押圧部を有する割に構造を簡単にできる食器受具及び食器洗い機を提供することにある。
【０００７】
また、他の目的は可動軸部を直杆部に対して固定軸部と反対側に配することにより、固定軸部及び可動軸部を食器受具本体に設けた後で食器立て部を組み込むことができる食器受具及び食器洗い機を提供することにある。
【課題を解決するための手段】
【０００８】
本発明に係る食器受具は、複数本の基条を有する食器受具本体と、該食器受具本体に揺動自在に枢支された食器立て部とを備える食器受具において、前記食器受具本体は、固定軸部と、該固定軸部と接離する方向へ可動とした可動軸部とを備えており、前記食器立て部は、前記固定軸部に揺動自在に枢支された第１杆体と、該第１杆体に連結され、前記可動軸部に揺動自在に枢支された第２杆体とを備え、該第２杆体は前記可動軸部の周りに回動自在に嵌められている被枢支部及び前記可動軸部を支点とする揺動により前記可動軸部を前記接離する方向の一方へ押圧する押圧部を有することを特徴とする。
【０００９】
この発明にあっては、可動軸部に枢支された第２杆体を有する食器立て部を揺動させることにより、第２杆体に設けられた押圧部が可動軸部を可動させるため、この可動軸部の復帰力により食器立て部の起立状態及び倒れ状態を維持することができ、また、可動軸部が食器受具本体に設けられており、食器立て部が押圧部を有するため、食器立て部の起立状態及び倒れ状態を線ばねを用いる場合に比べて簡単な構成で維持することができる。
【００１０】
また、本発明に係る食器受具は、前記第２杆体の被枢支部及び押圧部は前記第１杆体と平行的に配される直杆部の一端部が前記直杆部に対して傾斜するリング形をなしていることを特徴とする。
【００１１】
この発明にあっては、被枢支部及び押圧部を有する第２杆体を一本の線材で構成することができるため、押圧部を有する割に構造が簡単である。
【００１２】
また、本発明に係る食器受具は、前記可動軸部は前記直杆部に対して前記固定軸部と反対側に配されていることを特徴とする。
【００１３】
この発明にあっては、食器立て部を枢支するとき、可動軸部を可動させて固定軸部と可動軸部との間の間隔を短くすることができるため、固定軸部及び可動軸部が食器受具本体に設けられた後で、第１杆体を固定軸部に枢支し、第２杆体を可動軸部に枢支することができ、食器立て部の組込作業性を向上でき、しかも、食器立て部の取外し作業を簡易にできる。
【００１４】
また、本発明に係る食器洗い機は、内部に水が噴射される洗浄槽と、該洗浄槽に収容される前記食器受具とを備えることを特徴とする。
【００１５】
この発明にあっては、食器洗い機において、前記食器受具の作用を奏する。
【発明の効果】
【００１６】
本発明によれば、食器立て部を枢支するための可動軸部の復帰力により食器立て部の起立状態及び倒れ状態を維持することができるため、線ばねを用いる場合に比べて部品点数を削減でき、組込作業工程を減らすことができ、コストを低減できる。
【００１７】
また、本発明によれば、被枢支部及び押圧部を有する第２杆体を一本の線材で構成することができるため、押圧部を有する割に構造が簡単である。
【００１８】
また、本発明によれば、食器立て部を枢支するとき、可動軸部を可動させて固定軸部と可動軸部との間の間隔を短くすることができるため、固定軸部及び可動軸部が食器受具本体に設けられた後で、第１杆体を固定軸部に枢支し、第２杆体を可動軸部に枢支することができ、食器立て部の組込作業性を向上でき、しかも、食器立て部の取外し作業を簡易にでき、食器立て部のバリエーション展開を容易にできる。
【発明を実施するための最良の形態】
【００１９】
以下本発明をその実施の形態を示す図面に基づいて詳述する。図１は本発明に係る食器受具の構成を示す平面図、図２は食器受具の一部を拡大した平面図、図３は食器受具の一部を拡大した側面図、図４は食器受具の一部を拡大した縦断側面図、図５は食器受具の一部を拡大した正面図、図６は食器受具の食器立て部を倒した状態を示す一部拡大平面図、図７は食器受具の食器立て部を倒した状態を示す一部拡大側面図、図８は食器受具の食器立て部を倒した状態を示す一部を拡大した縦断側面図である。
【００２０】
食器受具は、線材からなる基条により略長方形に形成された枠部１と、該枠部１内に配され、線材からなる複数本の第１及び第２の基条２ａ，２ｂが交差して結合された食器受具本体２と、該食器受具本体２の第１の基条２ａから上方へ突設された固定短杆部３及び固定長杆部４と、食器受具本体２に枢支された２つの食器立て部５，５と、枠部１の両側部に結合され、枠部１を補強する合成樹脂製の２つの補強部材６，６とを備える。
【００２１】
食器受具本体２は、長手方向一方側に複数本の固定長杆部４が配され、該固定長杆部４と離隔した位置から長手方向他方側にかけて複数本の固定短杆部３が配され、固定長杆部４及び固定短杆部３間に食器立て部５，５が配されている。固定長杆部４、固定短杆部３及び食器立て部５は食器受具本体２の幅方向両側にそれぞれ設けられている。また、２つの食器立て部５，５が配される位置には食器立て部５，５を枢支するための部材が２組設けられている。この枢支するための部材はそれぞれ同じ構成であり、また、食器立て部５，５は夫々同じ構成であるため、以下一方だけを説明し、他方の説明を省略する。
【００２２】
枢支するための部材は、その一端部に固定軸部７ａを有する２つの固定杆７，７と、その一端部に可動軸部８ａを有する可撓杆８とを備える。固定杆７，７は、隣り合う２本の第１の基条２ａ，２ａに、該第１の基条２ａ，２ａの長手方向に離隔して第２の基条２ｂと平行に２箇所が固定され、固定軸部７ａ，７ａの位置が変わらないようになっている。また、固定軸部７ａ，７ａは固定杆７，７の一端部を直角状に折曲げることにより形成されており、この固定軸部７ａ，７ａを同じ方向に向かわせている。
【００２３】
可撓杆８は、固定杆７，７の約３倍程度の長さに形成されており、可動軸部８ａと反対側の他端部が、固定杆７，７が固定された２本の第１の基条２ａ，２ａと離隔した位置の複数の第１の基条２ａに固定され、可動軸部８ａ側を他端部（第１の基条２ａに固定した部分）に対して固定杆７，７と接離する方向に可動、換言すれば可撓になっている。また、可動軸部８ａは可撓杆８の一端部を直角状に折曲げることにより形成されており、この可動軸部８ａを固定軸部７ａ，７ａと反対方向に向かわせている。
【００２４】
食器立て部５は、その一端部にリング形の被枢支部５１ａを有し、該被枢支部５１ａを固定軸部７ａ，７ａに枢支する２つの第１杆体５１，５１と、その一端部にリング形の被枢支部５２ａを有し、該被枢支部５２ａを可動軸部８ａに枢支する第２杆体５２と、第１杆体５１，５１間に配置された第３杆体５３と、第１杆体５１，５１、第２杆体５２及び第３杆体５３を等間隔で連結する連結杆５４とを有する。
【００２５】
第１杆体５１，５１は直杆部５１ｂ及び該直杆部５１ｂの一端部がリング形に湾曲された被枢支部５１ａを有する。第２杆体５２は第１杆体５１と平行的に配される直杆部５２ｂ及び該直杆部５２ｂの一端部がリング形に湾曲された被枢支部５２ａを有しており、該被枢支部５２ａを直杆部５２ｂに対して可動軸部８側へ曲げ、被枢支部５２ａを傾斜させることにより、被枢支部５２ａが可動軸部８を可動させる、換言すれば撓ませる押圧部５５を構成している。
【００２６】
以上のように構成された食器受具は、食器受具本体２に複数種類の食器が載せられる。例えば大皿は固定長杆部４，４の間、食器立て部５の第１杆体５１，５１、第２杆体５２及び第３杆体５３の間に載せられる。また、大皿の枚数が少なく、深皿等が多い場合、例えば食器立て部５を食器受具本体２に対して揺動させ、該食器立て部５を倒して、食器立て部５上に深皿等が載置される。
【００２７】
食器立て部５は固定軸部７ａ，７ａ及び可動軸部８ａに枢支されているが、可動軸部８ａを有する可撓杆８は固定杆７，７と接離する方向に可動（可撓）になっており、しかも、食器立て部５の第２杆体５２は被枢支部５２ａに押圧部５５を有しており、該押圧部５５が可撓杆８の直杆部８ｂに当接し、可撓杆８を固定杆７，７側へ撓ませているため、食器立て部５の起立状態を維持することができる。
【００２８】
食器立て部５を起立状態から倒す場合、押圧部５５の可撓杆８との当接位置が図２のａ点から図６のｂ点へ変わり、可撓杆８を固定杆７，７側へさらに撓ませるため、食器立て部５の倒れ状態を維持することができる。
【００２９】
食器立て部５を組込む場合、第１杆体５１，５１の被枢支部５１ａ，５１ａを固定軸部７ａ，７ａに挿嵌し、可撓杆８を固定杆７側へ撓ませて固定軸部７ａと可動軸部８ａとの間の間隔を短くすることにより、第２杆体５２の被枢支部５２ａを可動軸部８ａに挿嵌することができ、可撓杆８が弾性復元して食器立て部５の組込状態を維持することができる。また、鍍金等の表面処理が施された食器受具本体２の可撓杆８を撓ませて食器立て部５を組込むため、この組込時の食器受具本体２の傷つきをなくすることができ、食器受具の品位を向上できる。また、食器立て部５を取外す場合、可撓杆８を固定杆７側へ撓ませて固定軸部７ａと可動軸部８ａとの間の間隔を短くすることにより、第２杆体５２の被枢支部５２ａを可動軸部８ａから抜出すことができ、さらに第１杆体５１，５１の被枢支部５１ａ，５１ａを固定軸部７ａ，７ａから抜出すことができ、食器立て部５を取外すことができる。従って、工具を用いることなく食器立て部５の組込、及び取外しを行うことができ、また、食器立て部５のバリエーション展開を容易にできる。尚、２つの食器立て部５，５は図６に示すように倒した状態で互いに上下に重ならないように食器受具本体２の長手方向へ位置ずれしている。
【００３０】
図９は本発明に係る食器受具を食器洗い機に用いた状態を示す断面図、図１０は食器洗い機の洗浄槽を開放した状態の断面図である。食器洗い機は、筐体１０と、該筐体１０内に配され、その前面に開口部１１ａを有する洗浄槽１１と、該洗浄槽１１に収容され、食器Ａが載せられるあみ篭形状の食器受具１２と、該食器受具１２の下側に配置され、食器受具１２に載せられた食器Ａに向けて水を噴射する複数の回転可能なノズル１３と、該ノズル１３に分配弁を介して加圧水を供給するポンプ（図示せず）と、洗浄槽１１内を乾燥させる乾燥手段としてのヒータ１４と、開口部１１ａの上下に配され、その両側部が筐体１０に枢支された上部扉１５及び下部扉１６とを備える食器洗い乾燥機である。
【００３１】
食器洗い、及び洗い後に乾燥する場合、上部扉１５及び下部扉１６により洗浄槽１１の開口部１１ａを開放し、該開口部１１ａから食器受具１２に食器Ａが載せられる。このとき、食器Ａの種類により食器立て部５が起立されたり、倒されたりする。食器受具１２に食器Ａが載せられた後、上部扉１５及び下部扉１６により洗浄槽１１の開口部１１ａを閉じた後、洗浄槽１１内の空気がヒータ１４により加熱され、洗浄槽１１内の食器Ａが乾燥される。
【００３２】
以上説明した実施の形態では、固定長杆部４が設けられていない位置に食器立て部５を配置したが、その他、固定長杆部４が設けられている位置に食器立て部５を配置し、食器立て部５の第１杆体５１及び第２杆体５２と固定長杆部４との間に食器を載せることができるように構成してもよい。
【００３３】
また、食器立て部５は複数の基条からなる構成としたが、その他、一体成形された合成樹脂製としてもよい。
また、固定軸部７ａは固定杆７の一端部に設けられた構成とする他、固定杆７をなくし、第１の基条２ａと一体に曲げ加工された構成、又は、第１の基条２ａ及び第２の基条２ｂの一方に直接固定された構成としてもよい。
また、本発明に係る食器洗い機は、乾燥機能を有する食器洗い乾燥機の構成とする他、乾燥機能をなくした食器洗い機の構成としてもよい。
【図面の簡単な説明】
【００３４】
【図１】本発明に係る食器受具の構成を示す平面図である。
【図２】本発明に係る食器受具の一部を拡大した平面図である。
【図３】本発明に係る食器受具の一部を拡大した側面図である。
【図４】本発明に係る食器受具の一部を拡大した縦断側面図である。
【図５】本発明に係る食器受具の一部を拡大した正面図である。
【図６】本発明に係る食器受具の食器立て部を倒した状態を示す一部拡大平面図である。
【図７】本発明に係る食器受具の食器立て部を倒した状態を示す一部拡大側面図である。
【図８】本発明に係る食器受具の食器立て部を倒した状態を示す一部拡大縦断側面図である。
【図９】本発明に係る食器受具を食器洗い機に用いた状態を示す断面図である。
【図１０】本発明に係る食器洗い機の洗浄槽を開放した状態の断面図である。
【符号の説明】
【００３５】
２    食器受具本体
２ａ  第１の基条
２ｂ  第２の基条
５    食器立て部
５１  第１杆体
５２  第２杆体
５２ａ  被枢支部
５２ｂ  直杆部
５５  押圧部
７ａ  固定軸部
８ａ  可動軸部
８ｂ  直杆部
１１  洗浄槽
１２  食器受具
１４  ヒータ（乾燥手段）
【図１】
2006061314.tif 000003
【図２】
2006061314.tif 000004
【図３】
2006061314.tif 000005
【図４】
2006061314.tif 000006
【図５】
2006061314.tif 000007
【図６】
2006061314.tif 000008
【図７】
2006061314.tif 000009
【図８】
2006061314.tif 000010
【図９】
2006061314.tif 000011
【図１０】
2006061314.tif 000012